(57)【要約】【課題】  薄型で携帯性に優れ、宣伝媒体として利用可能な電池式ライターを提供する。【解決手段】  薄型の扁平ケース２と、該ケース２内に配設されたシート状電池３と、該電池３に接続される抵抗線発熱部４と、該発熱部４への通電を開閉する電源スイッチ５とを備える。扁平ケース２は、発熱部４が臨む位置に開口された着火窓２１を開閉するスライド部材６と、電源スイッチ５を操作する操作ボタン５１とを備え、スライド部材６が着火窓２１を閉塞している状態では、スライド部材６の一部が前記電源スイッチ５の接点間に介在し、操作ボタン５１の操作を無効とし、着火窓２１を開放している状態で操作ボタン５１の操作によって電源スイッチ５を閉成可能としてなる。【選択図】          図１
2005076929.tif 000002
【特許請求の範囲】
【請求項１】
薄型の扁平ケースと、該扁平ケース内に配設されたシート状電池と、該シート状電池に接続される抵抗線発熱部と、該抵抗線発熱部への通電を開閉する電源スイッチとを備え、
前記扁平ケースは、前記発熱部が臨む位置に開口された着火窓と、該着火窓を開閉するスライド部材と、前記電源スイッチを操作する操作ボタンとを備え、
前記スライド部材が着火窓を閉塞している状態では、該スライド部材の一部が前記電源スイッチの接点間に介在し、前記操作ボタンの操作を無効とし、着火窓を開放している状態で前記操作ボタンの操作によって電源スイッチを閉成可能としたことを特徴とする電池式ライター。
【請求項２】
前記扁平ケースの表面平面部に広告等の表示部がさらに設置されてなることを特徴とする請求項１に記載の電池式ライター。
【請求項３】
前記扁平ケースにおけるスライド部材の操作部の配設位置と、前記操作ボタンの配設位置とが隣接していることを特徴とする請求項１に記載の電池式ライター。
【発明の詳細な説明】
【技術分野】
【０００１】
本発明は、電池を内蔵し抵抗線発熱部へ通電して煙草などへの着火に使用する電池式ライターに関するものである。
【背景技術】
【０００２】
従来より実用化されている電池式ライターは、使用している電池が単３または単４乾電池が主流であり、この電池を２本直列に収容して３Ｖの電圧にてニクロム線等による抵抗線発熱部へ通電して発熱させ、この発熱部を着火源として煙草などを接触させて使用している。
【０００３】
また、電池式ライターとして、その電源に、扁平薄型乾電池を用いるもの、またはボタン型電池を用い、その着火窓を開閉するようにしたカード型ライターが提案されている（例えば、特許文献１、特許文献２参照）。
【特許文献１】実開昭６３−１４２５７１号公報
【特許文献２】実開平３−１２８２５１号公報
【発明の開示】
【発明が解決しようとする課題】
【０００４】
ところで、電池式ライターは、煙草などへの着火機能において、燃料ガスに点火した高温となった炎を発生させるガスライターに比べて、抵抗線発熱部でのエネルギー量が少なく低温で着火しずらい理由から、その普及が遅れている。
【０００５】
上記単３または単４乾電池などの円筒棒状の乾電池を使用するものでは、容易に電池交換が可能であるが、それを収納するためにライター本体の厚みが１５ｍｍ以上に厚くなり、例えば胸ポケット等に入れずらく携帯性に難点がある。また、電圧が３Ｖ程度に低圧であると、発熱量が少なく充分な着火機能が得られにくい問題がある。
【０００６】
また、その表面に平面部を広く形成しようとすると全体の形状が大きくなり、それを小型化しようとすると平面部が狭く、名入れ、広告等の表示部の面積が狭くなって宣伝媒体としての使用に適さなくなる。
【０００７】
また、電源としては、ニッケル水素電池、リチウムイオン電池などの充電式電池も使用可能であるが、高価で使い捨ての宣伝媒体としては適用が困難である。
【０００８】
一方、前述の特許文献のように、電源スイッチを着火窓を開閉するスライドスイッチで構成し、着火窓の開作動に連係して、電源を閉成して通電するものでは、携帯時等に不用意に電源がオンとなって電池を消耗して使用回数が減少してしまう恐れがある。
【０００９】
そこで、本発明はこの点に鑑み、着火性、着火使用回数を確保するとともに、薄型で携帯性に優れ、宣伝媒体として利用可能な電池式ライターを提供することを目的とする。
【課題を解決するための手段】
【００１０】
本発明の電池式ライターは、薄型の扁平ケースと、該扁平ケース内に配設されたシート状電池と、該シート状電池に接続される抵抗線発熱部と、該抵抗線発熱部への通電を開閉する電源スイッチとを備え、前記扁平ケースは、前記発熱部が臨む位置に開口された着火窓と、該着火窓を開閉するスライド部材と、前記電源スイッチを操作する操作ボタンとを備え、前記スライド部材が着火窓を閉塞している状態では、該スライド部材の一部が前記電源スイッチの接点間に介在し、前記操作ボタンの操作を無効とし、着火窓を開放している状態で前記操作ボタンの操作によって電源スイッチを閉成可能としたことを特徴とするものである。
【００１１】
また、前記扁平ケースの表面平面部に広告等の表示部をさらに設置するのが好ましい。前記扁平ケースにおけるスライド部材の操作部の配設位置と、前記操作ボタンの配設位置とが隣接しているのが好適である。前記扁平ケースの平面部分は、タバコのパッケージの平面形状と同一となるように形状可能である。
【発明の効果】
【００１２】
以上のような本発明の電池式ライターによれば、スライド部材のスライド操作に加えて、操作ボタンの操作によって抵抗線発熱部への通電を行うようにしたために、安全面の確保が容易であるとともに、携行時に不用意に電源スイッチの接点が閉成して通電されることなく、無駄な電池の消耗を阻止し、着火使用回数が確保できる。また、シート状電池の収納により、ケースの厚みが最大で５ｍｍ程度に薄くでき、薄型の電池式ライターの製品化が可能であり、胸ポケットや鞄等に入れてもかさばらず、携帯性に優れる。
【００１３】
なお、シート状電池を使用したことにより、定格電圧が６Ｖ〜６．３Ｖあるため、従前の３Ｖ通電の電池式ライターに比較し、格段に着火性能が向上する。
【００１４】
また、平面状の広い表示部が形成可能で、ライター機能だけでなく、名入れ面積、広告面積が広くなり、低コストの宣伝媒体として好適に使用可能である。
【００１５】
扁平ケースにおけるスライド部材の操作部と操作ボタンとを隣接配置すると、一連の着火操作が良好に行える。
【発明を実施するための最良の形態】
【００１６】
以下、本発明の実施の形態を詳細に説明する。図１は一つの実施形態にかかる電池式ライターの非使用状態における平面図(ａ)と側面図(ｂ)、図２はケースを一部除去して内部構造を示す平面図、図３は使用状態の電池式ライターの平面図、図４は回路構成を示す概略図である。
【００１７】
電池式ライター１は、薄型の扁平ケース２と、該扁平ケース２内に配設されたシート状電池３と、該シート状電池３に接続される抵抗線発熱部４と、該抵抗線発熱部４への通電を開閉する電源スイッチ５と、スライド部材６とを備える。
【００１８】
扁平ケース２は、平面矩形状で表面部２ａと裏面部２ｂと周囲の側面部２ｃとを有する。表面部２ａの中央上部には楕円形状に開口された着火窓２１が、その下方のほぼ中央部には上下方向に延びる長溝状に開口された摺動口２２が、その側方に隣接して押圧変位可能な円形状の操作ボタン５１がそれぞれ設置されている。また、表面部２ａの下半分の平面部には、名入れ、広告等の表示部２３が設置されてなる。前記扁平ケース２の平面形状は、タバコのパッケージと同一となるように形成してもよい。
【００１９】
なお、上記操作ボタン５１は、扁平ケース２の表面部２ａと一体に薄肉に弾性変形可能に形成されるか、または別体に形成された部材が押圧方向に変位可能に組み付けられてなる。
【００２０】
前記抵抗線発熱部４は前記扁平ケース２の上部に設置され、この部分のケース厚みに対し、反対側の下部のケース厚みが薄く形成されてなる。側面部２ｃの形状は上部より下部に向けて高さが漸減するテーパー状となっている。
【００２１】
前記シート状電池３は、平面矩形状で扁平であり、中央にシート状の電池本体を備え、その両面に電極となるフィルム状の金属板が配置され、表面側の金属板の表面には電極用開口を有する絶縁材（絶縁紙）が被覆され、その電極用開口で露出した部位がシート状電池３の一方の第１電極３１に構成され、裏面側の金属板の一部が延設されて表面側に折り返されてシート状電池３の他方の第２電極３２に構成されている。また、裏面の金属板の表面にも絶縁材（絶縁紙）が被覆されている。このシート状電池３の定格電圧は、例えば６Ｖ〜６．３Ｖである。
【００２２】
上記のようなシート状電池３は、扁平ケース２内の上部の抵抗線発熱部４の設置部を除く主要部に形成された電池収納部に装着されて内蔵され、その第１電極３１が前記表面部２ａの操作ボタン５１と対応する位置にあり、他方の第２電極３２は反対側の右上に位置している。
【００２３】
次に、前記抵抗線発熱部４は、ニクロム線等により構成され、扁平ケース２の上端部中央で、前記ケース表面部２ａの着火窓２１に臨む位置に配設された固定部２４に設置され、この固定部２４は熱硬化性樹脂で構成し、耐熱性を確保している。抵抗線発熱部４の一方の端子４ａは、シート状電池３の第２電極３２に接続され、他方の端子４ｂは電源スイッチ５の端子板５２に接続されている。
【００２４】
電源スイッチ５は、前記ケース表面部２ａの操作ボタン５１の裏面に上記端子板５２が固着され、この端子板５２はシート状電池３の第１電極３１に対向して配置されてなる。そして、操作ボタン５１の押し込み操作時には裏面の端子板５２が第１電極３１に接触して電源スイッチ５の接点を閉成し、抵抗線発熱部４に通電され、該抵抗線発熱部４は発熱して、煙草等をこの抵抗線発熱部４へ接触させることにより着火が行われる。操作ボタン５１の押し込み操作を離すと、この操作ボタン５１は突出方向の弾性力で移動して端子板５２を第１電極３１から離反して、電源スイッチ５の接点を開成し、抵抗線発熱部４への通電を遮断する。
【００２５】
また、上記電源スイッチ５の端子板５２とシート状電池３の第１電極３１との間には、前記着火窓２１を閉塞するように移動したスライド部材６の一部であるロック部６２が介在して、操作ボタン５１の押し込み操作があっても電源スイッチ５の接点が閉成しないようになっている。
【００２６】
つまり、前記扁平ケース２の表面部２ａの内面には、上下方向に摺動可能にスライド部材６が設置されている。このスライド部材６は縦長に形成され、その表面のほぼ中央に突設されたスライド操作部６１が前記ケース表面部２ａの摺動口２２に挿入されて、上下方向へスライド操作可能である。そして、閉方向に上動操作した図１の状態では、スライド部材６の上端部が着火窓２１を閉塞し、開方向に下動操作した図３の状態では、スライド部材６の上端部が着火窓２１より下方に位置し、この着火窓２１を開放して内部の抵抗線発熱部４が露出するようになっている。
【００２７】
また、前記スライド部材６の側部には前記電源スイッチ５の操作ボタン５１の方向に突出する絶縁材によるロック部６２を備え、このロック部６２は図４に示すように、電源スイッチ５の端子板５２と第１電極３１との間に挿入可能である。そして、スライド部材６が閉方向に上動した図１の状態では、ロック部６２が電源スイッチ５の接点間に介在して閉成不能となり、抵抗線発熱部４への通電がロックされる。一方、スライド部材６が開方向に下動した図３の状態では、ロック部６２が電源スイッチ５の端子板５２より離れ、電源スイッチ５の閉成による抵抗線発熱部４への通電が可能となる。
【００２８】
上記のようにスライド部材６が着火窓２１を閉塞している状態では、該スライド部材６のロック部６２が電源スイッチ５の接点間に介在し、操作ボタン５１の操作を無効とし、スライド部材６が着火窓２１を開放している状態で操作ボタン５１の操作によって電源スイッチ５が閉成可能で着火が行える。これにより不用意な電源スイッチ５の閉成による電池の消耗を防止している。
【００２９】
また、扁平ケース２におけるスライド部材６のスライド操作部６１の配設位置と、操作ボタン５１の配設位置とが隣接し、スライド操作部６１のスライド操作による着火窓２１の開放操作と操作ボタン５１の押し込み操作とが連続して行いやすいようになっている。
【００３０】
上記電池式ライター１は、シート状電池３の電力が消耗し、着火不能となったら、充電・交換されることなく使い捨てされる。
【００３１】
本実施形態の電池式ライター１によれば、発熱部４により通常の煙草等への着火が行える着火機能のほかに、表示部２３への名入れ、広告等を行うことによって、宣伝媒体としてとして使用でき利用価値が高まる。
【００３２】
次に、図５は他の実施形態の電池式ライターを示す斜視図である。この実施形態では、シート状電池３を交換可能に収容した例であり、図５は電池交換状態を示している。その他の構成は前述の実施形態と同様であり、同一の構成については同一符号を付してその説明を省略する。
【００３３】
本実施形態の電池式ライター１０は、前例と同様のシート状電池３を交換可能に収容する薄型の扁平ケース１２を備える。この扁平ケース１２は、平面矩形状の表面部とその周囲の側面部とによるケース本体１２Ａと、裏面部の開閉可能な蓋体１２Ｂとを有する。
【００３４】
蓋体１２Ｂは、一端部が軸１３によりケース本体１２Ａに回動自在に取り付けられている。ケース本体１２Ａの開口周囲の側面部の内面にはアンダーカット１２ｄが形成されており、蓋体１２Ｂを閉じた際にアンダーカット１２ｄに蓋体１２Ｂが係止することにより、蓋体１２Ｂの解放が防止される。
【００３５】
なお、ケース本体１２Ａの表面部には、図示してないが、前例と同様の着火窓２１、摺動口２２、操作ボタン５１、表示部２３およびスライド部材６がそれぞれ設置されている。
【００３６】
図示しない抵抗線発熱部４は、本体ケース１２Ａの上端部中央に設置された固定部２４に前例と同様に固定され、抵抗線発熱部４の一方の端子４ａは、収容したシート状電池３の第２電極３２に対応する位置の本体ケース１２Ａに設置された端子板７に接続され、他方の端子４ｂは前例と同様に構成された電源スイッチ５の端子板５２に接続されている。
【００３７】
図５は蓋体１２Ｂを開いた状態で、シート状電池３をその第１および第２電極３１，３２が表面部に向くようにケース本体１２Ａに装填して蓋体１２Ｂを閉じると、第１電極３１は閉状態にあるスライド部材６のロック部６２を介して、操作ボタン５１の裏面の端子板５２と対向し、第２電極３２は他方の端子板７に接触して電気的に接続する。
【００３８】
そして、スライド部材６の開閉動作と、電源スイッチ５の操作によって、前記実施の形態と同様の着火操作が行われ、スライド部材６が着火窓２１を閉塞している状態では、そのロック部６２が電源スイッチ５の接点間に介在し、操作ボタン５１の操作を無効とし、スライド部材６が着火窓２１を開放している状態で操作ボタン５１の操作によって電源スイッチ５が閉成可能で着火が行え、電池交換により長期の使用が可能となる。
【図面の簡単な説明】
【００３９】
【図１】本発明の一つの実施形態にかかる電池式ライターの非使用状態における平面図と側面図
【図２】ケースを一部除去して内部構造を示す平面図
【図３】電池式ライターの使用状態の平面図
【図４】回路構成を示す概略図
【図５】他の実施形態にかかる電池式ライターの電池交換状態を示す斜視図
【符号の説明】
【００４０】
１，10    電池式ライター
２，12    扁平ケース
３    シート状電池
４    抵抗線発熱部
５    電源スイッチ
６    スライド部材
７    端子板
12A   ケース本体
12B   蓋体
21    着火窓
22    摺動口
23    表示部
24    固定部
31    第１電極
32    第２電極
51    操作ボタン
52    端子板
61    スライド操作部
62    ロック部
【図１】
2005076929.tif 000003
【図２】
2005076929.tif 000004
【図３】
2005076929.tif 000005
【図４】
2005076929.tif 000006
【図５】
2005076929.tif 000007